(57)【要約】      （修正有）【課題】ノートパソコンなどの薄型情報処理装置を主に収納するカバンにおいて、デザイン性やファッション的な汎用性を向上させたカバンを提供する。【解決手段】可撓性を有し、少なくともその一辺部同士が接合された一対の面材５の間が収納部６となる略矩形状のカバン本体２と、カバン本体２の少なくとも他辺部９同士にわたって設けられたファスナー１０により開閉自在となる開閉部３とを備える。さらに、一対の面材５のそれぞれの他辺部９の中央部に設けられ、環状体１１を有して把手部分となる上側半部が他辺部９から面材５の外側に突出されるとともに面材５と重なる側に折り返される扁平な把手部材４と、一対の面材５に設けられ、面材５側に折り返された把手部材４の環状体１１の内周縁１１ａに解除可能に係止して把手部材４を面材５に重ねて保持する係止部材１２とを備える。【選択図】図１
0003180978.tif 000002
【実用新案登録請求の範囲】
【請求項１】
可撓性を有し、少なくともその一辺部（７）同士が接合された一対の面材（５）の間が収納部（６）となる略矩形状のカバン本体（２）と、
前記カバン本体の少なくとも他辺部（９）同士にわたって設けられたファスナー（１０）により開閉自在となる開閉部（３）と、
前記一対の面材のそれぞれの前記他辺部の中央部に設けられ、環状体（１１）を有して把手部分となる上側半部が前記他辺部から前記面材の外側に突出されるとともに該面材と重なる側に折り返される扁平な把手部材（４）と、
前記一対の面材に設けられ、該面材側に折り返された前記把手部材の前記環状体の内周縁（１１ａ）に解除可能に係止して該把手部材を前記面材に重ねて保持する係止部材（１２）と、
を備えることを特徴とするカバン。
【請求項２】
前記係止部材は、外周縁（１４ａ）形状が前記環状体の内周縁形状と略同等に形成されて前記環状体が外挿される扁平凸部（１４）を有し、
前記扁平凸部に外挿された環状体の表面（１５）が前記扁平凸部の表面（１６）と略同一の平面となるように、前記環状体を前記扁平凸部に係止する係止構造部が前記環状体と前記扁平凸部とに設けられることを特徴とする請求項１記載のカバン。
【請求項３】
前記係止構造部が、前記扁平凸部の前記外周縁から張り出した鍔部（１７）と、前記環状体の前記内周縁から中心方向に突出して前記鍔部に係止する爪部（１８）と、からなることを特徴とする請求項２記載のカバン。
【考案の詳細な説明】
【技術分野】
【０００１】
本考案は、ノートパソコンなどの薄型情報処理装置を主に収納するカバンに関する。
【背景技術】
【０００２】
ノートパソコンなどの一般的な薄型情報処理装置のような矩形板状の収容物を持ち運びするものに、例えば、下記特許文献１に開示されるような把手ありのカバンや、下記特許文献２に開示されるような把手なしのカバンがある。なお、下記特許文献１に開示されるカバンは、パソコン本体の外面に密着して覆う第１ケース部材、液晶画面を有する蓋の外面に密着して覆う、第１ケース部材とは別体の第２ケース部材を備えている。また、各ケース部材は、主表面部、その周囲縁から立ち上がる前壁部、２つの側壁部及び後壁部を備えており、略Ｌ型の補強板が第１ケース部材の内側に主表面部の一部と前壁部に重なるように配置され、ハンドル（把手）は補強板と共に前壁部に固定され、パソコン本体と蓋との係合を解除する操作部が外装ケースから露出されている。このカバンによれば、ノートパソコンを通常の開閉操作で使用することが可能なように外側表面に密着して取り付けられ、携帯時にはあたかも収納されているようにノートパソコンを覆うことができる。また、下記特許文献２に開示されるカバンは、把手が設けられた別体のアウターバッグに収容されるいわゆるインナーケースであり、ノートパソコンを持ち運びするときの損傷防止を図るために使用される。
【先行技術文献】
【特許文献】
【０００３】
【特許文献１】特開２００３−２９５９７４号公報
【特許文献２】特開２００３−１０２５２９号公報
【考案の開示】
【考案が解決しようとする課題】
【０００４】
しかしながら、上述したようなノートパソコン専用のカバンは、把手があると機能的に便利になるが、把手が突出状態で固定されるため、把手を使用せずに体に添えて持ちたいときには見た目にもこの把手が邪魔になる。一方、把手がないカバンは持ち方が限られてしまう。すなわち、従来のこの種のカバンは、把手を使用する場合と使用しない場合の２通りの持ち方をしたいときに、デザイン性やファッション的な汎用性が低かった。把手の有無は購入するときに好みで選べばよいが、もしも、気分やシーンに応じて把手の有無を手軽に変更可能であれば、カバンのデザイン性やファッション的な汎用性がより向上する。
【０００５】
本考案は、上記状況に鑑みてなされたもので、ノートパソコンなどの薄型情報処理装置を主に収納するカバンにおいて、把手があるタイプと把手がないタイプに変更可能な、いわゆる２ウェイカバンとし、デザイン性やファッション的な汎用性を向上させたカバンを提供することを目的としている。
【課題を解決するための手段】
【０００６】
次に、上記の課題を解決するための手段を、実施の形態に対応する図面を参照して説明する。
本考案の請求項１記載のカバンは、可撓性を有し、少なくともその一辺部７同士が接合された一対の面材５の間が収納部６となる略矩形状のカバン本体２と、
前記カバン本体２の少なくとも他辺部９同士にわたって設けられたファスナー１０により開閉自在となる開閉部３と、
前記一対の面材５のそれぞれの前記他辺部９の中央部に設けられ、環状体１１を有して把手部分となる上側半部が前記他辺部９から前記面材５の外側に突出されるとともに該面材５と重なる側に折り返される扁平な把手部材４と、
前記一対の面材５に設けられ、該面材５側に折り返された前記把手部材４の前記環状体１１の内周縁１１ａに解除可能に係止して該把手部材４を前記面材５に重ねて保持する係止部材１２と、
を備えることを特徴としている。
【０００７】
このような構成によれば、カバン本体２を構成する一対の面材５の他辺部９に扁平な把手部材４が設けられ、把手部材４の把手部分は、展開時にはそれぞれの他辺部９から突出し、環状体１１に手を入れ、手にさげて持つのに適したものとなる。このとき、把手部分は、折り返された状態から展開されるため、容易に、しかも、必ず所定位置に配置される。一方、把手を使用せずに体に添えて持つ場合には、把手部分が折り返され、他辺部９から突出物がなくなるので、見た目にもすっきりとして、見栄えがよくなる。このとき、把手部分は、面材５側に折り返されることで、所定の係止位置に一度で配置可能となる。これにより、面材５に固定された係止部材１２に、環状体１１の内周縁１１ａが係止して、きわめて容易に収納された状態となる。
【０００８】
請求項２記載のカバンは、請求項１記載のカバンにおいて、前記係止部材１２は、外周縁１４ａ形状が前記環状体１１の内周縁１１ａ形状と略同等に形成されて前記環状体１１が外挿される扁平凸部１４を有し、
前記扁平凸部１４に外挿された環状体１１の表面１５が前記扁平凸部１４の表面１６と略同一の平面となるように、前記環状体１１を前記扁平凸部１４に係止する係止構造部が前記環状体１１と前記扁平凸部１４とに設けられることを特徴としている。
【０００９】
このような構成によれば、扁平な把手部材４の把手部分が面材５と重なるように折り返されると、環状体１１の内周縁１１ａに、扁平凸部１４が進入し、係止構造部によって、扁平凸部１４の表面１４ａと環状体１１の表面１１ａとが略同一面となって、把手部分が面材５側に固定される。固定された把手部分は、これを使用する場合、所定の係止解除力（把手部分を面材から引き剥がすために加える力）が係止構造部に加えられると、再び他辺部９から突出する向きへ展開され、使用が可能となる。
【００１０】
請求項３記載のカバンは、請求項２記載のカバンにおいて、前記係止構造部が、前記扁平凸部１４の前記外周縁１４ａから張り出した鍔部１７と、前記環状体１１の前記内周縁１１ａから中心方向に突出して前記鍔部１７に係止する爪部１８と、からなることを特徴としている。
【００１１】
このような構成によれば、把手部材４の把手部分が折り返されると、環状体１１の内周縁１１ａが扁平凸部１４の外周縁１４ａから張り出した鍔部１７を乗り越えて、扁平凸部１４に外挿される。扁平凸部１４に外挿された把手部分は、その弾性復元力によって展開方向へ戻されようとするが、環状体１１の内周縁１１ａから突出した爪部１８が、扁平凸部１４の鍔部１８に係止して、環状体１１の表面１５と扁平凸部１４の表面１６とが略同一の平面となる位置で固定される。鍔部１７及び爪部１８は、環状体１１及び扁平凸部１４と同時成形が可能となる。把手部分の展開時には、把手部分を面材５から引き剥がすために力が加えられると、鍔部１７及び爪部１８が弾性変形及び弾性変位し、鍔部１７と爪部１８との係止が解除される。
【考案の効果】
【００１２】
本考案に係るカバンによれば、デザイン性やファッション的な汎用性が向上するとともに、把手部材を容易、且つ確実に突出及び収納させることができる。
【００１３】
また、把手部材を係止部材に重なる位置で係止して、把手部材と係止部材とが略一体となり、把手部材の収納時の見栄えをよくすることができる。
【００１４】
さらに、把手部材を収納してデザイン性を向上させることができるとともに、簡単な構造で、容易に製造でき、しかも、把手部材の係止と係止解除とを確実に行えるようになる。
【図面の簡単な説明】
【００１５】
【図１】（ａ）本考案に係るカバンの把手部材が展開された状態を示す要部斜視図、  （ｂ）把手部材が展開されたカバンの使用例を示す要部側面図である。
【図２】（ａ）本考案に係るカバンの把手部材が収納された状態を示す要部斜視図、  （ｂ）把手部材が収納されたカバンの使用例を示す要部側面図である。
【図３】把手部材が収納された状態を示す要部側面図である。
【図４】図３におけるＡ−Ａ断面図である。
【図５】図４において、把手部材を係止解除した状態を示す図（断面図）である。
【考案を実施するための形態】
【００１６】
以下、本考案の実施の形態を図面を参照して具体的に説明する。
図１及び２に示すように、この実施の形態（カバン１）は、カバン本体２と、開閉部３と、把手部材４と、係止部材１２とを主な構成要件に備えている。カバン本体２は、可撓性を有しており、略矩形状（この実施の形態では、収納対象となるノートパソコンなどの一般的な薄型情報処理装置に相似する形状）の少なくともその一辺部７（図２（ｂ）参照）同士が接合（この接合部分が接合部８となる）された一対の面材５の間が収納部６となる。可撓性を有する面材５としては、クッション性を有する合成樹脂材の他、紙、木材、革、繊維及びこれらの複合材であってもよい。
【００１７】
開閉部３は、カバン本体２の少なくとも他辺部９同士にわたって設けられたファスナー１０によって開閉自在となる。図２（ｂ）に示すように、開閉部３は、例えば、カバン本体２の左側の下部あたりから上縁を経て右側の下部あたりまで開閉するものであることが好ましい。なお、ファスナー１０としては、一対の面材５のそれぞれの周囲に沿って固設された帯布材に、複数のファスナー用務歯列が固着され、これら一対のファスナー用務歯列を係合及び係合解除するスライダーが移動自在に取り付けられたものが採用されている。
【００１８】
把手部材４は、それぞれの面材５の他辺部９の中央部に設けられている。把手部材４は、比較的硬い合成樹脂材などによって形成されており、略矩形の扁平形状であり、上側半部には略矩形の穴が設けられている。また、穴の周縁部には環状体１１が設けられている。把手部材４は、長手方向が上下に配置されるようにカバン本体２の他辺部９に固定され、下側半分は面材５に固定されている。すなわち、把手部材４の上側半分がカバン本体２の他辺部９から上側へ突出しており、この部分がカバン１の把手部分となる。また、把手部材４の下側半分には係止部材１２が設けられている。
【００１９】
把手部材４は、上側半部と下側半部との間に長手方向に線状の薄肉ヒンジ部１３が形成されている。すなわち、薄肉ヒンジ部１３は、カバン本体２の他辺部９に沿って配置される。把手部材４は、この薄肉ヒンジ部１３によって、把手部分となる上側半分が、他辺部９から面材５の外側に突出されるとともに、面材５と重なる側に折り返される。
【００２０】
係止部材１２は、面材５に設けられ、折り返された把手部材４の上側半部の環状体１１の内周縁１１ａに解除可能に係止して把手部材４の上側半部（把手部分）を面材５に重ねて保持する。この実施の形態では、この係止部材１２が把手部材４の下側半分に設けられている。係止部材１２及び上述した環状体１１とは、この実施の形態において、例えば可撓性を有する合成樹脂製であることが好ましい。このような合成樹脂製とすることにより、環状体１１に手を挿入したときの手指へのフィット感も良好となる。
【００２１】
また、係止部材１２は、面材５に固定され、環状体１１の穴と略同等形状に形成されている。係止部材１２は、環状体１１が外挿される扁平凸部１４を有している。環状体１１と扁平凸部１４とにわたっては、係止構造部が設けられている。係止構造部は、扁平凸部１４に外挿された環状体１１の表面１５（図４参照）が、扁平凸部１４の表面１６（図４参照）と略同一の平面となるように、環状体１１を扁平凸部１４に係止する。
【００２２】
この実施の形態において、係止構造部は、扁平凸部１４の外周縁１４ａから張り出した鍔部１７と、環状体１１の内周縁１１ａから穴の中心方向に向かって突出して鍔部１７に係止する爪部１８とからなる。鍔部１７及び爪部１８は、扁平凸部１４の外周縁１４ａ及び環状体１１の内周縁１１ａの全てに連続して形成されていてもよいし、所定間隔おきに複数箇所に断続的に形成されていてもよい。これらの鍔部１７及び爪部１８は、係止強度やデザイン性、手指へのフィット感などを考慮して、適宜な箇所や形状に設けることができる。
【００２３】
ここから、この実施の形態（カバン１）の作用を説明する。
上述したカバン１では、カバン本体２を構成する一対の面材５の他辺部９に把手部材４が設けられており、図１（ｂ）に示すように、把手部材４は、展開時に把手部分となる上側半部がそれぞれの他辺部９から突出する。これにより、環状体１１に手を入れ、手にさげて持つのに適したカバンとなる。このとき、把手部分は、折り返された状態から展開されるため、容易に、しかも、必ず所定位置に配置されるようになる。
【００２４】
一方、把手なしのカバンとして、把手部分を使用せずにカバン本体２を体に添えて持つ場合には、把手部分が折り返され、図２に示すように、他辺部９からの突出物がなくなるため、見た目にもすっきりとして、見栄えがよくなる。このとき、把手部分は、折り返されることで、所定の係止位置に一度で配置可能となる。これにより、面材５に固定された係止部材１２に環状体１１の内周縁１１ａが係止して、きわめて容易に収納された状態となる。
【００２５】
また、カバン１では、把手部材４の把手部分が面材５と重なるように折り返されると、環状体１１の内周縁１１ａに扁平凸部１４が進入する。このとき、係止構造部によって、図４に示すように、扁平凸部１４の表面１６と環状体１１の表面１５とが略同一の平面となって、把手部分が面材５側に固定される。これにより、把手部分を係止部材１２に重ねて係止して、把手部分と係止部材１２とが略一体となり、把手部分を収納した状態の見栄えをよくすることができる。一方、固定された把手部分は、使用する場合は所定の係止解除力（把手部分を面材５から引き剥がすために加える力）が係止構造部に加えられると、図５に示すように、把手部材４の係止が解除され、把手部分が再び他辺部９から突出する向きへ展開され、使用が可能となる。
【００２６】
さらに、カバン１では、把手部材４の把手部分が折りたたまれると、環状体１１の内周縁１１ａが扁平凸部１４の外周縁１４ａから張り出した鍔部１７を乗り越えて、扁平凸部１４に外挿される。扁平凸部１４に外挿された把手部分（環状体１１）は、把手部材４の弾性復元力によって展開方向へ戻されようとするが、環状体１１の内周縁１１ａから突出した爪部１８が、扁平凸部１４の鍔部１７に係止して、環状体１１の表面１５と扁平凸部１４の表面１４ａとが略同一の平面となる位置で固定される。
【００２７】
また、鍔部１７及び爪部１８は、環状体１１及び扁平凸部１４と同時成形が可能となる。把手部材４の把手部分の展開時には、把手部分を面材５から引き剥がすために力が付与されると、鍔部１７及び爪部１８が弾性変形及び弾性変位し、鍔部１７と爪部１８との係止が解除される。これにより、把手部分を収納してデザイン性を向上させることができるとともに、簡単な構造で、容易に製造でき、しかも、把手部分の係止と係止解除とを確実に行えるようになる。
【００２８】
したがって、この実施の形態（カバン１）によれば、デザイン性やファッション的な汎用性が向上する。また、把手部材４の把手部分を定位置へ容易、且つ確実に突出及び収納させることができる。
【符号の説明】
【００２９】
１…カバン、２…カバン本体、３…開閉部、４…把手部材、５…（一対の）面材、６…収納部、７…一辺部、８…接合部、９…他辺部、１０…ファスナー、１１…環状体、１１ａ…（環状体の）内周縁、１２…係止部材、１３…薄肉ヒンジ部、１４…扁平凸部、１４ａ…（扁平凸部の）外周縁、１５…（環状体の）表面、１６…（扁平凸部の）表面、１７…鍔部、１８…爪部
【図１】
0003180978.tif 000003
【図２】
0003180978.tif 000004
【図３】
0003180978.tif 000005
【図４】
0003180978.tif 000006
【図５】
0003180978.tif 000007